(57)【要約】【課題】防音性能の低下を抑制しつつ、歩行時のふわふわ感を解消することができる防音床材を提供する。【解決手段】木質基材１０において相互に対辺の関係とされる両辺縁部１１、１２のすくなくとも一方の対応した裏面に、クッション材層２０に代えて、硬質材よりなる釘打ち固定部３０が積層されている。クッション材層２０は、釘打ち固定部３０の裏面よりも下方に突出した状態に配された軟質部２１と、釘打ち固定部３０の裏面と略同レベルか、裏面よりも上方に凹んだ状態に配された硬質部２２とを有している。【選択図】図１
2017197907.tif 000002
【特許請求の範囲】
【請求項１】
木質基材と、該木質基材の裏面に積層されたクッション材層とを有した防音床材において、
前記木質基材において相互に対辺の関係とされる両辺縁部のすくなくとも一方の対応した裏面に、前記クッション材層に代えて、硬質材よりなる釘打ち固定部が積層されており、
前記クッション材層は、前記釘打ち固定部の裏面よりも下方に突出した状態に配された軟質部と、前記釘打ち固定部の裏面と略同レベルか、該裏面よりも上方に凹んだ状態に配された硬質部とを有していることを特徴とする防音床材。
【請求項２】
請求項１において、
前記釘打ち固定部は、前記木質基材の短辺辺縁部に対応して設けられている、防音床材。
【請求項３】
請求項１または２において、
前記クッション材層は板状材料よりなり、前記硬質部は前記板状材料の厚み方向の一方面を部分押圧して形成されている、防音床材。
【請求項４】
請求項１〜３のいずれか１項において、
前記クッション材層の裏面には、前記硬質部の凹み空間を塞ぐようにシートが貼着されている、防音床材。
【発明の詳細な説明】
【技術分野】
【０００１】
本発明は、木質基材の裏面にクッション材層を積層した防音床材に関する。
【背景技術】
【０００２】
この種の防音床材に設けられたクッション材層は、吸音性、遮音性、衝撃緩和性の向上を目的として設けられており、防音床材としての防音性能を向上させるようにしたものである。しかし、このような防音床材を床下地に対して辺縁部に形成された実部の位置で釘打ち固定する場合には、釘打ちによるクッション材層の圧縮により、釘打ちされた辺縁部が他の部位にくらべて下方に凹んでしまう。そのため、防音床材は山形状に沿った状態に施工されるおそれがある。
【０００３】
このような事態を回避するために、釘打ちする実部に対応した辺縁部の裏面側に、クッション材層に代えて、木質材などの硬質材よりなる釘打ち固定部を積層した防音床材が提案されている（たとえば、特許文献１参照）。
【先行技術文献】
【特許文献】
【０００４】
【特許文献１】実開昭６３−１５６３５２号公報
【発明の概要】
【発明が解決しようとする課題】
【０００５】
しかしながら、相互に対辺の関係とされる両辺縁部、特に短辺に対応した両辺縁部に釘打ち固定部を設ければ、それら辺縁部間を歩行したときには、クッション材層によるふわふわした、沈み込むような感触を得やすくなる。また、辺縁部近傍での歩行ではふわふわ感を覚えることがほとんどないため、同一の床材であるのに踏み込む部位によって歩行感が均一にはならないという問題もある。
【０００６】
本発明は、このような事情を考慮して提案されたもので、その目的は、防音性能の低下を抑制しつつ、歩行時のふわふわ感を解消することができる防音床材を提供することにある。
【課題を解決するための手段】
【０００７】
上記目的を達成するために、本発明の防音床材は、木質基材と、該木質床材の裏面に積層されたクッション材層とを有した防音床材において、木質基材において相互に対辺の関係とされる両辺縁部のすくなくとも一方の対応した裏面に、クッション材層に代えて、硬質材よりなる釘打ち固定部が積層されており、クッション材層は、釘打ち固定部の裏面よりも下方に突出した状態に配された軟質部と、釘打ち固定部の裏面と略同レベルか、その裏面よりも上方に凹んだ状態に配された硬質部とを有していることを特徴とする。
【発明の効果】
【０００８】
本発明の防音床材によれば、上述した構成となっているため、防音性能の低下を抑制しつつ、歩行時のふわふわ感を解消することができる。
【図面の簡単な説明】
【０００９】
【図１】本発明の一実施形態に係る防音床材の説明図である。（ａ）は防音床材の概略平面図、（ｂ）は（ａ）のＡ−Ａ線に対応した、一部を省略した拡大縦断面図である。
【図２】防音床材の施工状態を示す、図１（ａ）のＡ−Ａ線に対応した、一部を省略した拡大縦断面図である。
【発明を実施するための形態】
【００１０】
以下に、本発明の実施の形態について、添付図面を参照しながら説明する。まず、以下の実施形態に係る防音床材の概略基本構成について説明する。
【００１１】
本防音床材１は、木質基材１０と、木質基材１０の裏面に積層されたクッション材層２０とを有した床材である。木質基材１０において相互に対辺の関係とされる両辺縁部１１、１２のすくなくとも一方の対応した裏面に、クッション材層２０に代えて、硬質材よりなる釘打ち固定部３０が積層されている。また、クッション材層２０は、釘打ち固定部３０の裏面よりも下方に突出した状態に配された軟質部２１と、釘打ち固定部３０の裏面と略同レベルか、その裏面よりも上方に凹んだ状態に配された硬質部２２とを有している。
【００１２】
このような防音床材１は、辺縁部１１、１２の裏面に硬質な釘打ち固定部３０を有しているが、それらの間にクッション材層２０が形成されているため防音性能の低下を軽減することができる。また、この防音床材１によれば、クッション材層２０に硬質部２２が含まれているため、歩行時のふわふわ感を解消させることができる。また、本防音床材１によれば、踏み込む部位による歩行感の不均一性がほとんどなくなる。
【００１３】
ついで、防音床材１の詳細について説明する。
【００１４】
この防音床材１の木質基材１０としては、複数の単板を重ねてなる合板を用いることができる。合板としては、５プライ、７プライなど種々のものを使用できる。もちろん、合板以外の他の材料を木質基材１０として用いてもよい。
【００１５】
防音床材１の長手方向、短手方向のいずれの方向においても、木質基材１０の各方向の一方の辺縁部１１には実結合用の雄実部１３が形成され、他方の辺縁部１２には雄実部１３が嵌合可能な形状とされる雌実部１４が形成されている（図１参照）。なお、図１（ｂ）には、図１（ａ）に示した防音床材１の、長手方向の一部を省略した拡大縦断面図を示した。
【００１６】
また、木質基材１０の表面には、突き板や化粧シートよりなる化粧材３５が貼着されている。
【００１７】
一方、木質基材１０の裏面には、長手方向、短手方向のそれぞれに沿って延びる、縦断面視でほぼ同形状の複数のスリット１５が形成されている。これらのスリット１５は木質基材１０の側端から反対側の側端まで貫通するように鋸加工などにより形成されている（図１（ｂ）参照）。木質基材１０は、これらのスリット１５により剛性が低下し、衝撃緩和作用がもたらされるようになっている。
【００１８】
また、上述したように、辺縁部１１、１２に相当する木質基材１０の裏面には硬質材よりなる釘打ち固定部３０が積層されている。釘打ちは後述するように、防音床材１を床下地５に固定するために、雄実部１３の上面の隅部から斜め下方に向けてなされる（図２参照）。
【００１９】
釘打ち固定部３０は、釘３などの固定具が挿通される、木質基材１０の辺縁部１１に対応する裏面に雄実部１３に沿って積層固着された固定部材とされる。また、雌実部１４側の辺縁部１２も同様に、木質基材１０の裏面に釘打ち固定部３０が積層固着されている。釘打ち固定部３０は、製造の際に木質基材１０への位置合わせをしやすくするために、木質基材１０の裏面に取付凹所を設けて、その凹所に取り付けるようにしてもよい。
【００２０】
本実施形態の防音床材１は、図１（ａ）に示すように、釘打ち固定部３０が木質基材１０の短辺辺縁部１１、１２に対応して設けてあるが、これには限定されず、長辺辺縁部に設けてもよい。また、釘打ち固定部３０は木質基材１０の短辺辺縁部１１、１２の全長に設けなくてもよく、短辺辺縁部１１、１２の全長のうちの釘打ちする箇所に対応した部位にのみ設けるようにしてもよい。
【００２１】
この釘打ち固定部３０は、沈み込み防止作用を発揮させるために取り付けられたもので、木質材または硬質ウレタン発泡体などの硬質材で形成してあればよい。硬質の程度としては、釘打ちしたときに上下方向にほとんど変形（圧縮）しないものであればよい。
【００２２】
また、釘打ち固定部３０間の木質基材１０の裏面には、軟質部２１と硬質部２２とを交互にストライプ状に並べてなるクッション材層２０が積層、固着されている。
【００２３】
軟質部２１は、ポリエステル不織布、ポリウレタン発泡体などよりなる柔軟な多孔質材料よりなり、上下方向より押圧されると圧縮される。この軟質部２１は、施工前の押圧されない状態では釘打ち固定部３０の裏面よりも下方に突出している。
【００２４】
一方、硬質部２２は、軟質部２１よりも十分に硬い材料よりなる。図１の例では、硬質部２２は釘打ち固定部３０の裏面よりも凹んだ状態に配されているが、両方の裏面が略同レベルとなるように配されてもよい。図１（ｂ）に示すように、軟質部２１間の硬質部２２の下方には凹み空間２３が形成されている。
【００２５】
たとえばクッション材層２０は、ポリエステル不織布、ポリウレタン発泡体などよりなる柔軟で、両面に凹凸のない板状材料よりなるクッション材を加工して形成されるようにしてもよい。具体的には、クッション材層２０はたとえば、押圧面にストライプ状の連続凹凸が形成されたプレス機（不図示）で板状材料の厚み方向の一方面を部分押圧して形成されればよい。部分押圧することでその部位が圧縮され、軟質部２１間に凹んだ状態に表れる硬質部２２を形成することができる。このような加工方法とすることで、クッション材層２０を簡易に形成することができる。
【００２６】
また、木質基材１０の裏面側に積層形成されたクッション材層２０の凹凸状の裏面には、硬質部２２の下方の凹み空間２３を塞ぐようにシート２５が貼着されている。このシート２５は、床下地５への施工の際における接着剤（不図示）の塗布面を構成するものである。シート２５としては、たとえば０．１〜０．３ｍｍ厚の合成樹脂シートが用いられる。
【００２７】
図１に例示した防音床材１の長手方向の全長は約８９５ｍｍである。厚さ寸法については、化粧材３５を加味した厚みＴ３が約９ｍｍの木質基材１０を用いた場合、表面からシート２５の裏面までの全体の厚みＴ１が約１３〜１５ｍｍ、表面から釘打ち固定部３０の裏面までの厚みＴ２が約１１〜１２ｍｍである。また、クッション材層２０（軟質部２１）の厚みＴ４は約４〜６ｍｍである。軟質部２１は釘打ち固定部３０の裏面から約２〜３ｍｍ（寸法Ｔ６）程度、下方に突出している。軟質部２１と硬質部２２との差、つまり凹み空間２３の深さ寸法Ｔ５は約２〜３ｍｍである。
【００２８】
釘打ち固定部３０の裏面と硬質部２２の裏面とは略同レベルか、あるいは釘打ち固定部３０の裏面が硬質部２２の裏面よりもやや上位置のレベルとされる。つまり、寸法Ｔ５と寸法Ｔ６との関係は、Ｔ５≧Ｔ６とされる。本図例のものは、図１（ｂ）に示すように、硬質部２２が釘打ち固定３０の裏面のレベルよりもわずかに凹んでいる。なお、上記各寸法はシート２５の厚みを０としたものである。
【００２９】
以上の数値からもわかるように、また図１（ｂ）にも図示されているように、この防音床材１は施工前においては、クッション材層２０が釘打ち固定部３０の裏面よりも下方に突出した状態にある。
【００３０】
このような防音床材１は、シート２５の裏面に接着剤（不図示）を塗布したうえで、既設の防音床材１Ａと実結合させて床下地５に設置、固着され、雄実部１３側を釘打ちすることで床下地５に固定される（図２参照）。
【００３１】
図２に示すように、クッション材層２０の軟質部２１は防音床材１の床下地５への釘打ち固定により上下方向から押圧され、圧縮された状態となる。そして、防音床材１の裏面における釘打ち固定部３０、軟質部２１の両裏面は床下地５の上面に合致するように略面一となる。もちろん、床下地５の上面が不陸となっている場合には、防音床材１の裏面がその不陸面に合うようにクッション材層２０およびシート２５が変形して、防音床材１が設置される。また、このように防音床材１の床下地５への設置によりクッション材層２０（軟質部２１）が圧縮されると、それに応じて凹み空間２３の深さ（厚み）寸法も小さくなる。
【００３２】
以上のような防音床材１によれば、硬質部２２の存在により、長手方向の辺縁部１１、１２間の中央部における、ふわふわとした歩行感を解消することができる。つまり、硬質部２２の存在により、防音床材１の中央部を踏み込んだときに、クッション材層２０が上下方向に圧縮されすぎることを防止することができる。
【００３３】
特に、本実施形態では釘打ち固定部３０が短辺辺縁部１１、１２に設けてあるため、辺縁部１１、１２間の距離が長い。そのため、硬質部２２のないクッション材の積層であれば中央部がより撓みやすくなるが、硬質部２２が設けてあるため沈み込みを食い止めることができ、効果が大きい。
【００３４】
また、辺縁部１１、１２には釘打ち固定部３０が配されているため、辺縁部１１、１２での沈み込みを当然に防止することができる。つまり、この防音床材１によれば、どの位置でもそれほど変わらない、ふわふわ感のない均一な歩行感が得られる。
【００３５】
もちろん、クッション材層２０、特に軟質部２１は柔軟であり、吸音性能、遮音性能、衝撃緩和性能を有しているため、スリット１５による防音作用とあいまって、防音床材１としては十分な防音性能を発揮することができる。
【００３６】
また、クッション材層２０の裏面にはシート３５が貼られているため、接着剤が凹み空間２３に入り込むおそれはない。したがって、凹み空間２３内に硬化した接着剤が溜まるようなおそれはなく、そのため接着剤の硬化により防音性能や歩行感が悪くなるおそれも当然にない。
【００３７】
なお、釘打ち固定部３０は硬質材料よりなり、それにより防音性能がある程度低下するおそれはあるが、木質基材１０にはスリット１５が形成され、かつクッション材層２０が積層されているため、それらにより防音性能の低下を軽減することができる。また、この防音床材１は釘打ちを前提としているため、また上述したように防音性能も十分に考慮されているため、戸建て住宅の上層階に利用することが想定できるが、そのような用途には限定されない。
【００３８】
以上のように、この防音床材１は、防音性能と歩行性能はいずれもよく、それらのバランスもよい。また、クッション材層２０は、軟質部２１と硬質部２２とが含まれているので、それぞれの比率を変えるなどすることで、設置対象に応じた適切な防音性能、歩行性能をバランスよく有した防音床材１を構成することができる。また、軟質部２１と硬質部２２とを交互に配列しないものでもよい。
【００３９】
本実施形態では、雄実部１３側に釘打ちする例を示したが、雌実部１４側にも釘打ち固定部３０が積層されているため、雌実部１４側で釘打ちした場合でも辺縁部１２の沈み込みを防止することができる。また、図２のような施工を行うことを前提とすれば、雌実部１４側の辺縁部１２は既設の防音床材１Ａの雄実部１３側の釘打ち固定部３０により沈み込みを防止できるようになっているため、釘打ち固定部３０は雄実部１３側だけに設けた構成であってもよい。このように、防音床材１は、釘打ち固定部３０が対辺関係にある辺縁部１１、１２の一方のみに設けられた構成であってもよい。
【００４０】
また、防音床材１は雌雄実連結構成の床材でなくてもよく、相じゃくり形状の床材にも適用できることは言うまでもない。
【符号の説明】
【００４１】
１          防音床材
１０        木質基材
１１、１２  （短辺）辺縁部
１３        雄実部
１４        雌実部
１５        スリット
２０        クッション材層
２１        軟質部
２２        硬質部
２３        凹み空間
２５        シート
３０        釘打ち固定部
３５        化粧材
３          釘（固定具）
５          床下地
【図１】
2017197907.tif 000003
【図２】
2017197907.tif 000004